(57)【要約】      （修正有）【課題】冷熱省エネ効率を高めることができ、給湯器、冷水器及びエアコン機能を兼ね備えて、使用効率を向上させる熱回収装置の構造を提供する。  【解決手段】熱回収装置のコンプレッサー１からＲ−１３４ａの冷媒を送り出し、順番に第一ルート２、コンデンサー３、第二ルート４、膨張弁５、第三ルート６及び蒸発器７を通ってから更に第四ルート８が吸入してコンプレッサーに送る。第一ルート２内の冷媒圧力は２５〜３０ｋｇ／ｃｍ２Ｇ、摂氏８０〜１２５度であり、コンデンサー３を通って加熱を行うことで、コンデンサーの熱交換した水温が６５〜９８度になる。冷媒は順に第二ルート、膨張弁、第三ルート及び蒸発器を通り、蒸発器の冷媒体を冷却する。【選択図】図１
0003179370.tif 000002
【実用新案登録請求の範囲】
【請求項１】
コンプレッサー、第一ルート、第二ルート、第三ルート、第四ルート、コンデンサー、膨張弁、蒸発器を含み、
該コンプレッサーからＲ−１３４ａ冷媒を送り出し、順に第一ルート、コンデンサー、第二ルート、膨張弁、第三ルート及び蒸発器を通ってから更に第四ルートが吸入してコンプレッサーに送り、
第一ルート内にある冷媒の圧力は２５〜３０ｋｇ／ｃｍ２Ｇ、温度は摂氏８０〜１２５度であり、コンデンサーを通って加熱することで、コンデンサーの熱交換した水温は摂氏６５〜９８度になる。冷媒は順に第二ルート、膨張弁、第三ルート及び蒸発器を通り、蒸発器の冷媒体の冷却を行うことを特徴とする熱回収装置の構造。
【請求項２】
前記第一ルート内の冷媒圧力は２７〜２９ｋｇ／ｃｍ２Ｇであり、温度は摂氏１０６〜１１０度であることを特徴とする請求項１記載の熱回収装置の構造。
【請求項３】
前記蒸発器を冷水器に設定することを特徴とする請求項２記載の熱回収装置の構造。
【請求項４】
前記蒸発器をエアコンに設定することを特徴とする請求項２記載の熱回収装置の構造。
【考案の詳細な説明】
【技術分野】
【０００１】
本考案は熱回収装置の構造に関し、特にＲ−１３４ａ冷媒を使って加熱及び冷却を行う熱回収装置の構造に関する。
【背景技術】
【０００２】
現在工業と商業など各産業において既に冷熱回収交換設備を使用し、冷媒を使って冷却及び加熱を行う。一般的に冷熱回収交換設備は主にコンプレッサーから高圧高温の気体冷媒を送り出し、更にコンデンサーを通って熱交換を行うことで潜熱を放出するが、それに対してコンデンサーの水の出し入れによって加熱を行い、水温を高くしてお湯にする。同時に気体冷媒が相転移により高圧高温の液体冷媒に変化して、引き続き温度を下げて過冷却状態にする。
【０００３】
続いて液体冷媒が乾燥ろ過器及び膨張弁を通じて、蒸発器を通って冷却を行うことで、液体冷媒が蒸発器に出入りする水(或いは相対するスペースの気流)の熱を吸収し、水温を下げて冷水或いは氷水にする。同時に液体冷媒を気体に蒸発し、コンプレッサーに吸入して外に送る。
【０００４】
現在冷熱回収交換設備は、給湯器と冷水器(Ｃｈｉｌｌｅｒ)或いはエアコン機能を兼ね備えるほか、省エネ効果もある。ただ、該コンプレッサーとコンデンサーが共にＲ２２及びＲ-１３４aの冷媒を使用する際、冷媒自身の圧力が足りず、及びコンデンサーの熱交換構造により、コンデンサーの熱交換した水温が理想に達せず、省エネの冷熱回収効果に影響が出るため、更なる改善が必要であった。
【先行技術文献】
【特許文献】
【０００５】
【特許文献１】特開２０１１−６４３５２号公報
【考案の概要】
【考案が解決しようとする課題】
【０００６】
前記公知構造の欠点を解決するため、本考案は熱回収装置を提供することを主な課題とする。該熱回収装置はコンプレッサーからＲ−１３４ａの冷媒を送り出し、冷媒圧力は２５〜３０ｋｇ／ｃｍ２Ｇ、摂氏８０〜１２５度であり、コンデンサーを通って加熱を行うことで、コンデンサーの熱交換した水温が６５〜９８度になる。冷媒は順に第二ルート、膨張弁、第三ルート及び蒸発器を通り、蒸発器の冷媒体を冷却する。本考案の熱回収装置は冷熱省エネ効率を高めることができ、給湯器、冷水器及びエアコン機能を兼ね備えて、使用効率を向上させる。
【課題を解決するための手段】
【０００７】
上述の目的を解決するために、本考案は熱回収装置の構造を提供するものである。該コンプレッサーからＲ−１３４ａ冷媒を送り出し、順に第一ルート、コンデンサー、第二ルート、膨張弁、第三ルート及び蒸発器を通ってから第四ルートから吸入してコンプレッサーに送る。第一ルート内にある冷媒の圧力は２５〜３０ｋｇ／ｃｍ２Ｇ、温度は摂氏８０〜１２５度であり、コンデンサーを通って加熱することで、コンデンサーの熱交換した水温は摂氏６５〜９８度になる。冷媒は順に第二ルート、膨張弁、第三ルート及び蒸発器を通り、蒸発器の冷媒体の冷却を行う。
【０００８】
最良実施例において、該第一ルート内の冷媒圧力は２７〜２９ｋｇ／ｃｍ２Ｇであり、温度は摂氏１０６〜１１０度である。また、該蒸発器は冷水器或いはエアコンに設定することもできる。
【考案の効果】
【０００９】
本考案の熱回収装置は冷熱省エネ効率を高めることができ、給湯器、冷水器及びエアコン機能を兼ね備えて、使用効率を向上させる。
【図面の簡単な説明】
【００１０】
【図１】本考案の最良実施例の熱回収装置システム配置図である。
【図２】図１の最良実施例の熱回収装置システムボックス図である。
【図３】本考案の第二実施例の熱回収装置システム配置図である。
【考案を実施するための形態】
【００１１】
本考案による熱回収装置の構造を明確に示すために図に沿って詳細な説明を行う。
【実施例】
【００１２】
図１及び図２に示すように、本考案の熱回収装置は主に工業用、商業用及び住宅用の冷熱回収交換設備であり、給湯器、冷水器或いはエアコン機能を兼ね備える。図に示すように、本考案の熱回収装置に含まれるのは一つのコンプレッサー１からＲ−１３４ａの冷媒を送り出し、順番に第一ルート２、コンデンサー３、第二ルート４、膨張弁５、第三ルート６及び蒸発器７を通ってから更に第四ルート８が吸入してコンプレッサー１に送るように、循環して送り出して及び回収吸入を繰り返す。図に示す最良実施例はコンデンサー３を給湯器に、蒸発器７は冷水器に設定する。
【００１３】
図１及び図２に示す熱回収装置について、コンプレッサー１からＲ１３４ａの冷媒を送り出し、順に第一ルート２、コンデンサー３を通る。この時の第一ルート２内の冷媒圧力は２５〜３０ｋｇ／ｃｍ２Ｇ、温度は摂氏８０〜１２５度であり、シェル＆チューブ型コンデンサー及びプレート型コンデンサー３を通ることで、熱媒体９(水)に熱を加えると、コンデンサー３の熱交換した水温が、実際使用する際に必要な摂氏６５〜９８度になる。続いて冷媒は順に第二ルート４、膨張弁５、第三ルート６及び蒸発器７を通り、蒸発器７の冷媒体１０(冷水)を冷却して更に温度の低い氷水或いは冷水にする。本考案の熱回収装置は大幅に冷熱省エネ効率を高めることができ、給湯器と冷水器及びエアコン機能を兼ね備えて、使用効率を向上させる。
【００１４】
引き続き本考案の熱回収装置を説明する。図１及び図２に示すように、コンプレッサー１からＲ−１３４ａの冷媒を送り出し、順に第一ルート２、コンデンサー３、第二ルート４、膨張弁５、第三ルート６、蒸発器７及び第四ルート８を通る。最良実施例では、第一ルート２内の冷媒圧力は２７〜２９ｋｇ／ｃｍ２Ｇとし、且つ約２７．８ ｋｇ／ｃｍ２Ｇとすることができる。冷媒の温度は摂氏１０６〜１１０度であり、約摂氏１０８度とすることができ、コンデンサー３に入る水が常温状態の場合、出す水の温度が摂氏６５〜９８度に達することができる。続いて第二ルート４内の冷媒圧力は約２７ ｋｇ／ｃｍ２Ｇであり、冷媒温度は約摂氏７０度である。第三ルート６内の冷媒圧力は約３．５ｋｇ／ｃｍ２Ｇであり、温度は約摂氏２度である。一方第四ルート８内の冷媒圧力は約２．５〜３．５ｋｇ／ｃｍ２Ｇであり、温度は約摂氏３度である。
【００１５】
図３に示す最良実施例において、同様にコンプレッサー１からＲ１３４ａ冷媒を送り出し、順に第一ルート２、コンデンサー３、第二ルート４、膨張弁５、第三ルート６及び蒸発器７を通り、更に第四ルート８が吸入してコンプレッサー１に送る。当該蒸発器１１はファン１３と組み合わせてエアコンに構成することができることで、冷媒が蒸発器１１の冷媒体１２(空気)の冷却を行う。
【産業上の利用可能性】
【００１６】
本考案の熱回収装置はコンプレッサーからＲ−１３４ａ冷媒を送り出し、圧力２５〜３０ｋｇ／ｃｍ２Ｇ、温度摂氏８０〜１２５度である。コンデンサーを通って加熱を行い、コンデンサーの熱交換した水温が６５〜９８度となる。冷媒は順に第二ルート、膨張弁、第三ルート及び蒸発器を通り、蒸発器の冷媒体の冷却を行う。それにより本考案の熱回収装置は大幅に冷熱省エネ効率を高めることができ、給湯器と冷水器及びエアコン機能を兼ね備えて、使用効率を向上させる。
【００１７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１  コンプレッサー
２  第一ルート
３  コンデンサー
４  第二ルート
５  膨張弁
６  第三ルート
７  蒸発器
８  第四ルート
９  熱媒体
１０  冷媒体
１１  蒸発器
１２  冷媒体
１３  ファン
【図１】
0003179370.tif 000003
【図２】
0003179370.tif 000004
【図３】
0003179370.tif 000005
【手続補正書】
【提出日】平成24年8月29日(2012.8.29)
【手続補正１】
【補正対象書類名】実用新案登録請求の範囲
【補正対象項目名】全文
【補正方法】変更
【補正の内容】
【実用新案登録請求の範囲】
【請求項１】
コンプレッサー、第一ルート、第二ルート、第三ルート、第四ルート、コンデンサー、膨張弁、蒸発器を含み、
該コンプレッサーからＲ−１３４ａ冷媒を送り出し、順に第一ルート、コンデンサー、第二ルート、膨張弁、第三ルート及び蒸発器を通ってから更に第四ルートが吸入してコンプレッサーに送り、
第一ルート内にある冷媒の圧力は２５〜３０ｋｇ／ｃｍ２Ｇ、温度は摂氏８０〜１２５度であり、コンデンサーを通って加熱することで、コンデンサーの熱交換した水温は摂氏６５〜９８度になり、
冷媒は順に第二ルート、膨張弁、第三ルート及び蒸発器を通り、蒸発器の冷媒体の冷却を行うことを特徴とする熱回収装置。
【請求項２】
前記第一ルート内の冷媒圧力は２７〜２９ｋｇ／ｃｍ２Ｇであり、温度は摂氏１０６〜１１０度であることを特徴とする請求項１記載の熱回収装置。
【請求項３】
請求項２記載の熱回収装置を有することを特徴とする冷水器。
【請求項４】
請求項２記載の熱回収装置を有することを特徴とするエアーコンディショナー。